(57)【要約】  【課題】医療・介護施設の大部屋を個室状空間に仕切るための設備において、物の収納機能や机としての機能を保持させて価値を高めつつ、ベッドの出し入れも容易ならしめる。  【手段】準個室化設備は、収納ユニット７，８と仕切り壁６０とを備えた固定式仕切り装置１と、その前面に取付けた可動式仕切り体２とから成っている。可動式仕切り体２は水平回動式又は前後スライド式である。可動式仕切り体２を突出していない退避状態にすることにより、通路１２の横幅を多きくすることなくベッドＢの出し入れを行える。固定式仕切り装置１はキャビネットとしても机としても使用できる多機能であるため、しごく便利である。【選択図】        図１２
2006181337.tif 000002
【特許請求の範囲】
【請求項１】
室内空間を仕切って同じ方向に開口した左右の個室状空間を形成する設備であって、
安定して自立できる横幅を有する固定式仕切り装置と、自身では自立できない薄型の可動式仕切り体とを備えており、これら固定式仕切り装置と可動式仕切り体とは、固定式仕切り装置が個室状空間の奥側に位置して可動式仕切り体が入り口側に位置した状態で平面視直線状に配置することによって左右の個室状空間を完全に仕切るようになっており、
前記固定式仕切り装置には、平面視で両個室状空間の境界線と直交した方向から物を出し入れできる収納部が形成されており、この固定式仕切り装置に前記可動式仕切り体を、左右の個室状空間を完全に仕切るように固定式仕切り装置から前向きに延びる突出状態と固定式仕切り装置から殆ど又は全く突出しない退避状態とに自在に切り換えできるように取付けている、
準個室化設備。
【請求項２】
前記固定式仕切り装置は、一方の個室状空間から使用できる一方の収納ユニットと他方の個室状空間から使用できる他方の収納ユニットとを備えており、これら両収納ユニットを背中合わせに配置している一方、
前記固定式仕切り装置には、可動式仕切り体を突出状態と同じ姿勢のままで後退させて退避状態と成し得る格納部が形成されている、
請求項１に記載した準個室化設備。
【請求項３】
前記固定式仕切り装置は、一方の個室状空間から使用できる一方の収納ユニットと他方の個室状空間から使用できる他方の収納ユニットとを備えており、これら両収納ユニットを背中合わせに配置している一方、
前記可動式仕切り体は退避状態で固定式仕切り装置の前面に重なるようになっており、可動式仕切り体を、突出状態と退避状態とに姿勢変更自在となるように固定式仕切り装置に回動自在に取付けている、
請求項１に記載した準個室化設備。
【請求項４】
請求項１〜３のうちの何れかに記載した準個室化設備で仕切られることによって個室状空間が形成されており、各個室状空間に、平面視長方形でかつ突出状態にある可動式仕切り体の手前側にはみ出ない長さの移動自在なベッドが、奥行き方向に長く延びる姿勢でかつ準個室化設備との間に人の歩行通路が空く状態で配置されている一方、
前記準個室化設備の固定式仕切り装置は、個室状空間の奥側に位置して高さが一般成人の身長よりも高い表裏一対の収納ユニットと、表裏収納ユニットと略同じ高さでかつ表裏収納ユニットの境界部から手前に延びる仕切り壁とを備えており、仕切り壁の左右両側に、一般成人が机として使用可能な天板を配置しており、天板の下方は椅子を格納できるオープン空間と成しているか又はキャビネット状の収納部と成しており、
更に、各個室状空間の開口部には、当該開口部を塞ぐスライド自在なカーテンが、突出状態にある可動式仕切り体の左右両側の空間を開閉できる状態で吊支されている、
医療・介護施設。
【発明の詳細な説明】
【技術分野】
【０００１】
本願発明は、例えば病院の大部屋を個室状に仕切る場合のように広い空間を複数の個室状空間に仕切ることに使用する準個室化設備、及び、この設備を使用した医療介護施設に関するものである。
【背景技術】
【０００２】
上記したように、病院や介護施設では病室を各患者ごとに仕切ることが行われている。この仕切り手段として従来はカーテンや衝立が主流であったが、近年、患者のプライバシー尊重や生活環境改善のため、個室に近い状態に仕切ることが推奨されている。他方、病院や介護施設ではベッドを移動させることが行われており、従って、大部屋を個室状に仕切ってもベッドを出し入れできる必要がある。
【０００３】
そこで、例えば特許文献１では、個室状空間を左右の壁と通路側の壁とで仕切ると共に、通路側には出入り口を設けた構造において、通路側に位置した壁を水平回動自在な構成とすることにより、個室状空間の仕切り機能を確保しつつベッドの出し入れの容易性を図っている。
【０００４】
他方、特許文献２には、収納部を一体化した仕切り装置が開示されている。すなわちこの特許文献２のものは、隣合ったベッドの間のうち奥側の部位に（すなわち壁際の部分に）、引き出しや扉を有する左右一対の収納部が一体化された設備を配置し、左右の収納部の間に間仕切パネルを前後動自在に配置している。また、この特許文献２の設備は、隣合ったベッドの上方まで延びる天蓋を備えており、天蓋に照明器具を設けている。
【特許文献１】特開平０９−２５６５１９号公報
【特許文献２】特開平１１−２１６０３２号公報
【発明の開示】
【発明が解決しようとする課題】
【０００５】
前記特許文献１の設備は、オフィスで多用されている間仕切構造を病院の準個室化設備に転用したものと言え、仕切り機能しか備えていない。従って、物を収納するためにはロッカーやキャビネット等の家具を別に設置しなければならない。このため、全体としてのコストが嵩むことになる。また、通路側に位置した壁を水平回動させると、隣の個室状空間の出入り口が塞がれることになり、隣の患者に迷惑を掛ける場合があるという点も問題であった。
【０００６】
他方、特許文献２では、収納部の本体は個室状空間の出入り口の方に向かって開口しており、従って、収納部は仕切り機能は備えておらず、空間の仕切り機能は専ら間仕切パネルが担うことになるため、仕切り機能が低いという問題がある。
【０００７】
更に述べると、この特許文献２では、間仕切パネルはその後端が収納部の前端部に位置した前進位置と、その後端が収納部の奥部まで移動した後退位置とに移動させるもので、従って、間仕切パネルの移動ストロークは収納部の奥行き寸法と略同じ寸法になるが、収納部の奥行き寸法は物品出し入れの容易性やスペース確保の点からあまり大きくできず、このため、隣合った空間を完全に仕切る位置まで間仕切パネルを引き出すことはできず、この面からも仕切り機能が低かった。
【０００８】
本願発明は、このような現状を改善することを課題とするものである。
【課題を解決するための手段】
【０００９】
本願発明の準個室化設備は、室内空間を仕切って同じ方向に開口した左右の個室状空間を形成する設備であり、この設備は、安定して自立できる横幅を有する固定式仕切り装置と、自身では自立できない薄型の可動式仕切り体とを備えており、これら固定式仕切り装置と可動式仕切り体とは、固定式仕切り装置が個室状空間の奥側に位置して可動式仕切り体が入り口側に位置した状態で平面視直線状に配置することによって左右の個室状空間を完全に仕切るようになっている。
【００１０】
そして、前記固定式仕切り装置には、平面視で両個室状空間の境界線と直交した方向から物を出し入れできる収納部が形成されており、この固定式仕切り装置に前記可動式仕切り体を、左右の個室状空間を完全に仕切るように固定式仕切り装置から前向きに延びる突出状態と固定式仕切り装置から殆ど又は全く突出しない退避状態とに自在に切り換えできるように取付けている。
【００１１】
なお、本願発明における「固定式」とは、使用状態で動かさないという意味であり、移動できないという意味や床にアンカー等で固定されることを要件とする意味ではない（勿論、アンカー等で固定することは可能である）。また、「固定式」とは全体として移動しないという意味であり、固定式仕切り装置が例えばキャビネットの扉や引出しのような動く部分を含んでいても差し支えない。
【００１２】
請求項２の発明及び請求項３の発明は、請求項１において、前記固定式仕切り装置は、一方の個室状空間から使用できる一方の収納ユニットと他方の個室状空間から使用できる他方の収納ユニットとを備えており、これら両収納ユニットを背中合わせに配置している。
【００１３】
そして、可動式仕切り体を突出状態と退避状態とに切り換える手段として、請求項２では、前記固定式仕切り装置には、可動式仕切り体を突出状態と同じ姿勢のままで後退させて退避状態と成し得る格納部が形成されている一方、請求項３の発明では、前記可動式仕切り体は退避状態で固定式仕切り装置の前面に重なるようになっており、可動式仕切り体を、突出状態と退避状態とに姿勢変更自在となるように固定式仕切り装置に回動自在に取付けている。
【００１４】
請求項４の発明は医療・介護施設に係るものであり、この施設は、請求項１〜３のうちの何れかに記載した準個室化設備で仕切られることによって個室状空間が形成されており、各個室状空間に、平面視長方形でかつ突出状態にある可動式仕切り体の手前側にはみ出ない長さの移動自在なベッドが、奥行き方向に長く延びる姿勢でかつ準個室化設備との間に人の歩行通路が空く状態で配置されている。
【００１５】
そして、前記準個室化設備の固定式仕切り装置は、個室状空間の奥側に位置して高さが一般成人の身長よりも高い表裏一対の収納ユニットと、表裏収納ユニットと略同じ高さでかつ表裏収納ユニットの境界部から手前に延びる仕切り壁とを備えており、仕切り壁の左右両側に、一般成人が机とて使用可能な天板を配置しており、天板の下方は椅子を格納できるオープン空間と成しているか又はキャビネット状の収納部と成しており、
更に、各個室状空間の開口部には、当該開口部を塞ぐスライド自在なカーテンが、突出状態にある可動式仕切り体の左右両側の空間を開閉できる状態で吊支されている。
【発明の効果】
【００１６】
本願発明の準個室化設備は、仕切り機能に加えて物品収納機能とを備えているため、個室状空間にわざわざ収納家具を設置する必要がなく、全体としてのコストを抑制することができる。また、固定式仕切り装置は安定して自立できるためその高さを高くでき、このためスペースを収納部の収納量も大きくすることができる。
【００１７】
また、固定式仕切り装置の収納部は、平面視で両個室状空間の境界線と直交した方向から物を出し入れするものであるため、固定式仕切り装置の長さ（個室状空間の奥行き方向の長さ）を長くすることができ、このため設備全体としても重厚を持たせて高い仕切り機能を発揮することができる。
【００１８】
そして、可動式仕切り体は突出状態と退避状態とに切り換え自在であるため、請求項４のように医療・介護施設に設置すると、通常は可動式仕切り体を突出状態にしておくことによって隣り合った個室状空間を確実に仕切りつつ、可動式仕切り体を退避状態に動かすことによってベッドの出し入れを容易に行える。
【００１９】
請求項２及び３のように、収納部が背中合わせに配置された収納ユニットを備えた構成にすると、安定性がより一層向上する利点がある。また、請求項２のように可動式仕切り体を固定式仕切り装置の格納部に退避させる構成にすると、可動式仕切り体を退避状態にしたときに全体としてスッキリさせることができる利点があり、請求項の３のように可動式仕切り体を回動式に構成すると、スライド式のような戸袋部やスライド機構は不要になるため、構造を著しく簡単にすることができ、このため大巾にコストダウンできる利点がある。
【００２０】
固定式仕切り装置は、全体をキャビネット状や棚状の収納部に形成して、その高さを一般成人の身長より高い高さに設定することも可能であるが、収納部は両個室状空間の境界線を挟んだ両側に広がっているため、固定式仕切り装置の全体を高い高さの収納部と成すと人に圧迫感を与える場合があり、また、天井からの照明が遮られ過ぎる虞がある。
【００２１】
これに対して請求項４のように構成すると、仕切り壁を挟んだ両側の空間は天板の上方に広い空間が開くため圧迫感を無くすか抑制でき、また、天井からの採光減少も抑制できる。また、天板を書き物や読書やパソコン操作等に使用できるため頗る便利である。
【００２２】
また、請求項４のように構成すると、カーテンを閉じた状態で可動式仕切り体の左右両側に空間が開いていわば出入りが広がった状態になるため、個室状空間の使用者が圧迫感を受けることを抑制がきる。また、カーテンを閉じると可動式仕切り体の左右両側の空間が外部から隠れるため、この可動式仕切り体の左右両側の空間に外部から視認できない状態で物を置くことができ、このため便利である。
【００２３】
ところで、病院には、例えば４床以上のベッドを配置できる大部屋の他に、床から天井まで届く基礎壁で四方を仕切った個室があり、この個室を患者の希望で使用する場合は、病院は差額ベッド代を徴収できる仕組みになっている。この場合、差額ベッド代を徴収できる個室の条件として、固定物を除いた床面積が一定の広さ（概ね６．４ｍ2 ）以上あることが求められている。
【００２４】
入院患者の環境改善のためには完全な個室を多数設けるということも考えられるが、これは膨大な工事費が必要であるため現実性に乏しく、また、完全な個室であると患者の状態を看護士や医師が容易に把握しがたいという問題や、患者に圧迫感を与える問題があり、このため患者によっては却って不安を覚える場合もある。
【００２５】
この点について特許文献１のように固定式の間仕切で大部屋を仕切って個室化することも考えられるが、これは既述のような問題があり、また、ドアの開閉が面倒であるため看護士等が患者の容体を把握しづらいという問題もある。更に、間仕切りで仕切られた内部を差額ベッド代の徴収可能な広さにすると、スペースの利用効率が悪化することになる。
【００２６】
他方、本願請求項４のように構成すると、左右の個室状空間が収納部を有する仕切り設備で仕切られていることにより、隣り合った個室状空間の仕切り機能を向上させてプライバシーの確保に貢献でき、しかも、個室状空間の開口部を塞いでいるカーテンはドアに比べて簡単に開閉できるため、看護士や医師による患者の容体確認も容易にできて看護士・医師（或いは付き添い人）の手間を軽減できると共に、患者は安心感を得ることができる。
【００２７】
また、空間をパネル類で完全に仕切るものではないため過度の圧迫感を与えることもない。更に、既述のとおり、可動式仕切り体の存在により、スペースの利用効率を確保した状態でベッドの出し入れも容易に行える。
【００２８】
そして、仕切り設備が固定式仕切り装置を備えて高い仕切り機能を持っていることや、仕切り設備が収納部や机として使用できる天板を備えていた患者に高い満足度を与え得ることから、本願発明の仕切り設備で仕切られた個室状空間は差額ベッド代を徴収可能な準個室に認定され得るが、その場合、カーテンは固定構造物ではないため、個室状空間の手前の通路部分も準個室の一部と見なされ、このため、仕切り設備の奥行き寸法を過度に大きくすることなく、差額ベッド代を徴収できる準個室としての床面積を確保することができる。
【００２９】
結局、請求項４のように本願の仕切り設備とカーテンとを組み合わせることにより、患者に高い満足度を与えて差額ベッド代の徴収に値する準個室を効率よく簡単に形成できるため、病院の収益向上にも貢献できるのであり、結果として、病院・介護施設のサービスの質の向上に貢献できるのである。
【発明を実施するための最良の形態】
【００３０】
次に、本願発明の実施形態を図面に基づいて説明する。本願発明は医療施設の大部屋病室を複数の準個室に仕切る（例えば従来の６人部屋を４人用の準個室に仕切る）ための設備に適用している。
【００３１】
(1).第１実施形態の概要
図１〜図５では第１実施形態を示しており、このうち図１は病室に設置した状態での斜視図、図２は設備の分離斜視図、図３は設備の平面図である。
【００３２】
準個室化設備Ａは、平行に配置された２つのベッドＢの間に配置することにより、１つのベッドＢが設置されているスペースを個室状空間Ｓと成すもので、準個室化設備Ａは、木製の固定式仕切り装置１と可動式仕切り体２とを備えている。各ベッドＢは平面視長方形であり、個室状空間Ｓの奥行き方向に延びる姿勢で配置されている。なお、ベッドＢの配置態様は病室の広さや形状に合わせて自由に設定できる。
【００３３】
固定式仕切り装置１と可動式仕切り体２とは、平面視で２つの個室状空間Ｓの境界線（仕切りライン）３（図３参照）に沿って長く延びており、個室状空間Ｓの開口部はカーテン４で遮られている。カーテン４は、室の天井に固定した又はロッドを介して天井から吊支されたレール５にスライド自在に吊支されている。
【００３４】
固定式仕切り装置１は、個室状空間Ｓの奥側に位置した表裏一対の第１収納ユニット７と、その手前に位置した第２収納ユニット８とから成っている。第１収納ユニット７の対と第２収納ユニット８の対とは、それぞれ両個室状空間Ｓの境界線（仕切りライン）３を挟んで背中合わせ状に配置されており、一体に連結されている。第１収納ユニット７は一般成人の身長よりも高い高さ（例えば１８０〜２００ｃｍ程度）である一方、第２収納ユニット８は一般成人の大腿部程度の高さ（例えば６０〜８０ｃｍ程度）になっており、上面を机として使用することが可能になっている。
【００３５】
可動式仕切り体２は板状に形成されていて第１収納ユニット７よりも若干低い高さであり、表裏の収納ユニット７，８の間には可動式仕切り体２を格納するための格納部の一例として戸袋状空間６が形成されている。そして、可動式仕切り体２は、平面視でその大部分が表裏収納ユニット７，８の間に入り込んだ退避状態と、第２収納ユニット８の手前側に大きくはみ出した突出状態とに前後動自在であり、前後移動自在にガイドするガイド手段として本実施形態では、第１収納ユニット７の上面に固定して手前側に延びる天レール９で吊支している。可動式仕切り体２の前端面には把手１０を設けている。
【００３６】
可動式仕切り体２は、前進し切った状態でその後端部が表裏の第１収納ユニット７の間に位置している。また、可動式仕切り体２が後退した状態でも前進した状態でも、第２収納ユニット８の上方の空間は可動式仕切り体２で仕切られている。
【００３７】
ベッドＢはキャスター１１を備えていて自在に移動させることができる。そして、通常は可動式仕切り体２を前進させておくことによって個室状空間Ｓを完全に仕切り、ベッドＢを移動させる場合は、可動式仕切り体２を後退させる。個室状空間Ｓに出入りするための通路１２はベッドＢを移動させ得る程度の幅寸法しかないのが一般的であるため、可動式仕切り体２を後退させることにより、狭い通路であっても図３に示すようにベッドＢを容易に移動させることができる。
【００３８】
本明細書では構造を特定するために前後・左右の文言を使用するが、これは、個室状空間Ｓを出入り口の方向から向いた状態での前後・左右である。
【００３９】
なお、病室でのベッドＢの配置態様は部屋の大きさや形状に応じてまちまちであり、通路１２の片側が壁Ｗである場合と、通路１２を挟んだ両側にベッドＢを配置している場合とがある。病室のドア１３の側に位置したベッドＢを移動させる場合は、可動式仕切り体２を後退させてベッドＢをいったん通路１２の奥側に移動させ、それから、進行方向を変えて移動させたら良い。
【００４０】
可動式仕切り体２は板状で薄いため、可動式仕切り体２を突出させた状態でその左右両側に前部空間Ｓ′（図３参照）が空いており、このため個室状空間Ｓの出入り口が広くなっていて出入りしやすい。カーテン４を閉じると前部空間Ｓ′も覆われる。本実施形態ではカーテン４が突出状態での可動式仕切り体２のやや手前に位置しているが、カーテン４の前後位置と突出状態での可動式仕切り体２の前端の前後位置を揃えてもよい。
【００４１】
(2).固定式仕切り装置の詳細
次に、各部位の詳細を、従前の図に加えて図４及び図５も参照して説明する。図４のうち（Ａ）は準個室化設備Ａの側面図、（Ｂ）は（Ａ）のＢ−Ｂ視断面図、（Ｃ）は（Ａ）のＣ−Ｃ視図、図５のうち（Ａ）は図４の VA-VA視断面図、（Ｂ）は図４の VB-VB視断面図、（Ｃ）は図４の VC-VC視断面図である。
【００４２】
第１収納ユニット７及び第２収納ユニット８は、人がベッドＢを背にして境界線３を向いた状態で物品を出し入れできる姿勢になっている。換言すると、各収納ユニット７，８はベッドＢに向けて開口している。
【００４３】
第１収納ユニット７の下部は２段の抽斗１５で構成され、抽斗１５の上方の部分は観音開き式の扉１６，１７で覆われたロッカー状（キャビネット状）の上部収納空間になっている。この場合、観音開き式の２枚の扉１６，１７は大きさ（横幅）が相違しており、奥側に位置した扉１６の横幅を大きくしている。また、ロッカー状の部分の内部は、２枚の扉１６，１７の先端が重なる縦仕切り板１８で前後に仕切られている。
【００４４】
ところで、水平回動式の扉は開いた状態で邪魔なることがある。この場合、奥側の扉１６は開いても壁Ｗと重なって人の邪魔にはならず、主として手前側の扉１７が開いたときに邪魔になるが、本実施形態のように手前側の扉１７の幅を小さくすると、扉１６，１７を開いても邪魔になりにくい利点がある。また、第１収納ユニット７の上部空間に検査機器等の機器類を置く場合があり、これら機器類はある程度の大きさも持っているものが多いが、上部空間を前後に仕切ることにより、検査機器類の載置機能を損なうことなく、例えば衣類を検査機器類と緩衝しない状態で収納できる。
【００４５】
なお、第１収納ユニット７の上部空間に固定式又は着脱式の棚板を配置しても良いのである。更に、上部空間の扉として引き戸を設けたり、扉を設けずにオープンのままにすることも可能である。また、必ずしも抽斗１５は必要ない。
【００４６】
図２や図５から理解できるように、表裏の第１収納ユニット７は天板１９と底板２０と奥側板２１とを共用しており、従って、表裏の第１収納ユニット７は一体化されている（勿論、表裏の収納ユニットを別体に構成しても良い。）そして、表裏の第１収納ユニット７の背板２２の間に、既述のとおり、可動式仕切り体２が移動自在な戸袋空間６が空いている。表裏の第１収納ユニット７が１枚の天板１９を共用していることを利用して、天レール９は第１収納ユニット７の天板１９にビスで固定されている。
【００４７】
図２から容易に理解できるように、第１収納ユニット７における前側板２４の下端部は可動式仕切り体２の移動通路を挟んだ両側に開いた切欠き部２５になっており、この切欠き部２５にケーブル類Ｃを配線できるようになっている。また、図示していないが、第１収納ユニット７における奥側板２１の下端にも配線用切欠き部が形成されている。
【００４８】
第２収納ユニット８は天板３１を備えており、前面が開口して底板８ａが露出しているオープン方式になっている（勿論、扉を設けても良い。）。図示していないが、内部に棚板を配置することが可能である。本実施形態では第１収納ユニット７の手前に第２収納ユニット８を配置して、第２収納ユニット８を机に兼用しているが、第２収納ユニット７の手前に天板のみを配置することも可能である。
【００４９】
図５（Ｃ）に示すように、第１収納ユニット７の一方の側板２６はビス２７で第１収納ユニット７に固定されている。従って、固定式仕切り装置１は全体として一体化して堅牢な構造になっている。
【００５０】
また、第２収納ユニット８の奥部には、背板２８とその手前に配置した補助仕切り板２９とで囲われた配線空間３０が形成されている。第２収納ユニット８の天板３１には、前記配線空間３０と連通する長穴（図示せず）が空いており、この長穴を塞ぐ状態で天板３１の上面にリアパネル３２を固着し、このリアパネル３２にコンセント３３（図２及び図３参照）を設けている。コンセント３３に加えて又は代えて、リアパネル３２に通信用やテレビ用ジャックを設けることも可能である。
【００５１】
第２収納ユニット８のリアパネル３２は天板３１から段違い状に高くなっているため、天板３１の上に置いた小物が後方に落ちることを防止できる。また、天板３１に載せた物品が可動式仕切り体２に当たった状態であると、可動式仕切り体２を引き出すことによって物品が落下したり倒れたりする虞があるが、リアパネル３２を設けることにより、天板３１に置いた物品が可動式仕切り体２に当たることを防止できるため、可動式仕切り体２の引き出しによって物が転倒したり落下したりすることを防止できる。
【００５２】
可動式仕切り体２に物品が当たることを防止する間隔保持手段としては、コンセント類を有するリアパネル３２には限らず、例えば線材製の堰部材を配置するなどしても良い。
【００５３】
図示していないが、第２収納ユニット８に奥側の側板３４の下端部には、前記配線空間にケーブル類Ｃを引き出すための切欠きが下向きに開口するように形成されており、この第２収納ユニット８の切欠きは、例えば図２に示した第１収納ユニット７における前側板２４の切欠き部２５と連通している。このため、ケーブル類Ｃは外部に露出させることなく美麗に配線できる。配線空間３０を背板２８と補助仕切り板２９との間に形成したことにより、ケーブル類が可動式仕切り体２と緩衝することを防止できる。
【００５４】
(3).可動式仕切り体の詳細
可動式仕切り体２は側面視略四角形に形成されており、例えば図２に明示するように、周囲を構成する上下左右の外枠３６を備えており、外枠３６で囲われて部分のうち略下半部は木製等の不透明素材からなる幕板３７で塞ぎ、幕板３７の上方には、縦横の桟材３８で固定された透光板３９の群を配置している。
【００５５】
透光板３９は半透明の樹脂板やスリガラス、障子紙等の紙類、樹脂フィルム、スクリーン状の織地又は編み地など、様々のものを採用できる。また、桟材３８は必ずしも必要はなく、例えば、１枚の広い透光板（或いは透光シート）を外枠材３６に張ることも可能であり、更には、例えば上半部を開口して、これに引き違い式の扉を設けるといったことも可能である。透光板３９に代えて非透光板を用いることも可能である。
【００５６】
図４から理解できるように、可動式仕切り体２の幕板３７の上端は第２収納ユニット８よりも上方に位置している。このため、第２収納ユニット８の上面に置いた物品が透光板３９に当たって透光板３９が破損する事故を防止できる。
【００５７】
天レール９は下向き開口の略Ｃ字状の形態であり、可動式仕切り体２の上面には、天レール９の内部に嵌まり込む前後一対のランナー４０を突設している。ランナー４０には天レール９の二つのリップを転動するコロ４１を設けている。可動式仕切り体２の上部の外枠３６には、ランナー４０を取付けるための横向き開口の丸穴４２が空いており、丸穴４２に嵌め込んだ固定具４３によってランナー４０を固定している。
【００５８】
本実施形態では既述のとおり天レール９は第１収納ユニット７の天板１９の上面に固定されており、従って、天レール９は片持ち梁状に突出した部分でのみランナー４０の走行が可能である。他方、可動式仕切り体２の後部は表裏の第１収納ユニット７の間に進入する。このため、ランナー４０は、可動式仕切り体２の上面のうち前後方向に沿った中途部に設けている。
【００５９】
可動式仕切り体２は、第１収納ユニット７の天板１９と底板２０との間に入り込むが、底板２０は床面Ｆからある程度の高さがある。このため、可動式仕切り体２は前倒れする傾向を呈する。そこで、可動式仕切り体２の下面のうち略前半部に、床面Ｆに近接する高さの下向き突出部４４を一体に設け、この下向き突出部４４の前部と後部とに、床面Ｆを転動し得る前部支持ローラ４５を設けている。
【００６０】
下向き突出部４４は板状に形成されており、その後端が第１収納ユニット７の底板２０に当たることによって可動式仕切り体２の後退位置が規制されるようになっている。換言すると、下向き突出部４４を後退位置規制用のストッパーに兼用している。なお、可動式仕切り体２の後退位置又は前進位置で停止するに際して衝撃を緩和するクッション材やアブソーバ等の緩衝手段を設けても良い。
【００６１】
可動式仕切り体２の後端のうちその下部には後向き張り出し部４６を設け、この張り出し部４６に、第１収納ユニット７の底板２０に当接して転動し得る後部支持ローラ４７を設けている。室の床面Ｆは凹凸があるのが通常である。そこで、前後支持ローラ４５，４７のうちいずれか一方又は両方を、ばねに抗して上昇動するタイプ（換言するとばねで下向きに押されたタイプ）を使用すると、床面の凹凸を吸収して可動式仕切り体２を軽快に前後動かせることができて好適である。
【００６２】
図４（Ａ）及び図５（Ａ）に一点鎖線で示すように、天レール９を第１収納ユニット７の天板１９の下面に配置して、天レール９を第１収納ユニット７の内部に進入させることも可能である。このように構成すると、前後ランナー４０の間隔を広げて可動式仕切り体２の振れ（前後方向に振れるピッチング及び左右方向に振れるローリング）を著しく抑制することができる利点がある。
【００６３】
なお、２つの第１収納ユニット７の天板１９を分離して、両天板１９に跨がった状態で天レール９を配置し、この天レール９を両天板１９に固定することによって天レール９にて２枚の天板１９を連結し、更に、前後の天板１９の間を可動式仕切り体２が移動するように構成することも可能である。また、前後の天板１９に固定したブラケットに天レール９を固定することも可能である。
【００６４】
病室では一般に人は頭を奥にしてベッドＢに寝るものであるが、特許文献では収納家具の収納量を確保するためには横幅を大きくせざるを得ず、すると、収納家具がベッドに近接し、このため人に圧迫感を与えたり寝起き動作をしにくくなったりする虞がある。これに対して本願発明では、収納部がベッドＢの方向に開口していることにより、ベッドＢの全長にわたって歩行通路が空いているため、人に圧迫感を与えたり寝起き動作を阻害したりすることはない。この点も本願発明の利点である。
【００６５】
(4).前後スライド方式の他の実施形態
図６〜図１０では、可動式仕切り体２を前後動させる方式の準個室化設備の別例を示している。このうち図６に示す第２実施形態では、表裏の第２収納ユニット８の底板８ａを共通し、かつ、前後側板３４の下端間に補強下板４９を固定している。この実施形態では、第１収納ユニット７の底板２０と第１収納ユニット７の底板８ａとは同一面を成しており、両底板２０，８ａの上方を可動式仕切り体２が移動する。
【００６６】
可動式仕切り体２は第１実施形態と同様に前後の支持ローラ４５，４７を備えているが、第１実施形態のような下向き突出部４４は備えていない。この実施形態では、表裏の第２収納ユニット８が一体化し、それら前後の第２収納ユニット８の背板２８の間隔は一定に保持される。そこで、可動式仕切り体２の下部と第２収納ユニット８の背板２８とのうち何れか一方又は両方にスライダー５０を設けることにより、可動式仕切り体２の振れを防止することができる。なお、第１実施形態においても、表裏の固定式仕切り装置１の下端をスペーサ部材で連結することにより、両者の間隔を一定に保持すること可能である。
【００６７】
図７に示す第３実施形態では、第２収納ユニット８の天板３１の後端部を第１収納ユニット７の前側板２４にビス５１で固定している。すなわち、第１収納ユニット７と第２収納ユニット８とで１枚の側板２４を共用している。
【００６８】
図８に示すのは第４実施形態であり、（Ａ）は側面図、（Ｂ）は（Ａ）のＢ−Ｂ視断面図である。この第４実施形態では、第１収納ユニット７の天板１９と天レール９との間にスペーサ５２を介在させている。ランナー４０の高さ寸法が大きくて、天板１９に天レール９を取付けただけでは可動式仕切り体２を吊支できない場合に、このような構成が有効である。
【００６９】
ところで、可動式仕切り体２は通常は引き出しており、ベッドＢを出し入れするときだけ可動式仕切り体２を後退させるものである。従って、例えば人が可動式仕切り体２の前端面にもたれ掛かったり、物が可動式仕切り体２の前端面に当たったりして可動式仕切り体２が不測に後退する虞がある。この点は可動式仕切り体２を前進位置に保持するロック手段を設けることで解決できる。このロック手段の一例を、図９において第５実施形態として示している。
【００７０】
（Ａ）は一部破断側面図、（Ｂ）は（Ａ）のＢ−Ｂ視平面図である。この実施形態では、天レール９の前端にホルダー５３を固着し、このホルダー５３に、ロック杆５４を上下動自在及び水平回転自在に取り付けている。
【００７１】
ロック杆５４の上端には水平外向きの操作部５４ａが形成されており、ホルダー５３には、ロック杆５４を下降位置に保持する深い切欠き５３ａと、上昇させて適宜角度旋回させると高い位置に保持する浅い切欠き５３ｂとを形成している。他方、可動式仕切り体２の上面には、前進させ切った状態でロック杆５４を下降させると当該ロック杆５４が嵌まる係合穴５５を空けている。
【００７２】
言うまでもないが、図示のロック装置は一例であり、ロック手段の構造や取付け位置など、必要に応じて自由に選択することができる。
【００７３】
第１実施形態ではガイド手段として、可動式仕切り体２を吊支する天レール（吊支レール）を使用したが、本願発明においてガイド手段は様々の構造を採用できる。その別例を図１０に第６実施形態として示している。（Ａ）は固定式仕切り装置１を一点鎖線で示した側面図、（Ｂ）は固定式仕切り装置１を実線で示した（Ａ）のＢ−Ｂ視断面図である。
【００７４】
この実施形態では、可動式仕切り体２の表裏両面でかつ上端部と下端寄り部位とに水平状に長く延びる可動レール５６を固着している一方、第１収納ユニット７及び第２収納ユニット８の背板２２，２８に、前記可動レール５６に嵌合する固定側レール５７を固着している。
【００７５】
図示した形態では可動側レール５６が固定側レール５７で抱持されているが、逆の嵌合関係でも良い。また、両レール５６，５７は多数のボールを備えた方式としても良いし、或いは、合成樹脂製スライダーを設けてスムースな相対動を図っても良い。
【００７６】
(5).第７実施形態
図１１及び図１２では第７実施形態を示している。図１１のうち（Ａ）は斜視図、（Ｂ）は（Ａ）のＢ−Ｂ視断面図、（Ｃ）は（Ａ）のＣ−Ｃ視断面図であり、図１２はベッドＢの出し入れをしている状態を示す平面図である。
【００７７】
この実施形態において、準個室化設備Ａが第１収納ユニット７と第２収納ユニット８とを備えている点は第１実施形態と同じであるが、第１実施形態との大きな相違点として、固定式仕切り装置１が表裏の第２収納ユニット８の境界線に沿って延びる固定式の仕切り壁６０を備えている点と、可動式仕切り体２が仕切り壁６０の前端にヒンジ６１を介して水平回動自在に取付けられている点と、一方の（右側の）第２収納ユニット８の前面にエンドパネル（或いはフロントパネル）６２が固定されている点が挙げられる。
【００７８】
また、この実施形態では、第１収納ユニット７の上部には空気清浄機６３を嵌め込み装着しており、更に、第２収納ユニット８には引き出し８ａを設けている。仕切り壁６０は前後の支柱６０ａと不透明又は半透明の採光板６０ｂを備えており、前部の支柱６０ａに可動式仕切り体２を取付けている。
【００７９】
この実施形態では、エンドパネル６２が存在することにより、可動式仕切り体２は左側のみに閉じるようになっており、図１２に示すように、可動式仕切り体２を左側の第２収納ユニット８の前面に重なる退避状態に回動させることにより、ベッドＢの出し入れを支障なく行うことができる。可動式仕切り体２は片持ち梁状になっているので、安定性を確保するための先端部の下面にキャスター６５を設けている。
【００８０】
また、可動式仕切り体２の突出状態を保持するため、図１１（Ｂ）に示すように、固定式仕切り装置１の前端と可動式仕切り体２の基端とに、可動式仕切り体２突出状態のときに重なり合うマグネット６４を設けている（一方のみをマグネットにして他方は磁性体としてもよい）。このため、可動式仕切り体２は開閉操作の容易性を損なうことなく突出状態を保持できる。また、突出状態において可動式仕切り体２はその基端部の側面がエンバパネル６２の側面に重なっており、このため、可動式仕切り体２が右側に開くことは阻止されていて安定性に優れている。また、エントドパネル６２の存在によって安定性が向上している。
【００８１】
一点鎖線で示すように、エンドパネル６２を左右の第２収納ユニット８の前面に配置して、可動式仕切り体２をエンドパネル６２に取付けてもよい（この場合は、左右のエンドパネル６２は１枚板とするのが好ましい）。
【００８２】
本実施形態では可動式仕切り体２は仕切り壁６０やエンドパネル６１よりもやや低い高さになっているが、図１１に一点鎖線で示すように、仕切り壁６０と同じ高さに設定してもよい。また、仕切り壁６０には半透明又は不透明の化粧板６０ａを嵌め込んでいるが、単なる板状としたり、フレームにシートを張った構造にするなど、具体的な構造に様々に設定できる。図１１（Ａ）及び図１２に一点鎖線で示すように、仕切り壁６０の片面又は両面に段違い状等の飾り棚６５を設けて和風の雰囲気を醸すことも可能である。仕切り壁６０や可動式仕切り体２の一部を障子タイプとすることも可能である。
【００８３】
第２収納ユニット８における天板３１の奥部に、電源コンセントや通信線用ジャックを備えたコネクタパネル３１ａが設けられている。コネクタパネル３１の下方は配線用空間になっており、この配線用空間を着脱自在なカバー板８ｂで塞いでいる。配線用空間を隣り合った第２収納ユニット８の間に配置することも可能であるが、かくすると、配線作業が面倒であり、また、左右の第２収納ユニット８の間（机天板を設けている場合は左右机天板の間）の間隔が広がるため机として使用できる面積が低下する不具合がある。
【００８４】
本実施形態はこのような課題も改善しているのであり、本実施形態のように構成すると、カバー板８ｂを取り外すことによって配線作業を楽に行え、また、左右の第２収納ユニット８の間には薄い仕切り壁６０が存在するだけであるため、天板３１の左右幅寸法（使用状態を基準にしたら奥行き寸法）を大きくできるため、設備の全体としての横幅を大きくすることなく机として使用できる面積を大きくできる利点がある。なお、本実施形態ではコネクタパネル３１ａは左右長手となるように配置しているが、仕切り壁６０の下端に重ねて前後長手となるように配置しても良い。
【００８５】
この第７実施形態では、可動式仕切り体２は水平回動するだけで突出状態と退避状態とに切り換えできるため作業が簡単であり、また、可動式仕切り体２はヒンジ６１で取り付けるだけで良いため、可動式仕切り体２の取付け構造が著しく簡単になる利点がある。また、仕切り壁６０は固定式であるため、可動式仕切り体２を動かすに際して例えば仕切り壁６０に紙類をピン止めしていても一々取り外す必要はない。なお、第２収納ユニット８に代えて机天板のみを配置しても良い。
【００８６】
ところで、可動式仕切り体２の突出寸法があまり大きくなると安定性が低下し、また、固定式仕切り装置１における物の収納量が少なくなる。従って、固定式仕切り装置１の前後長さは可動式仕切り体２の突出寸法よりも大きくするべきである。本実施形態及び第１実施形態のような病室用設備の場合、固定式仕切り装置１の前後長さは可動式仕切り体２の突出寸法の２〜５倍程度であるのが好適である。換言すると、可動式仕切り体２の突出寸法は退避状態でベッドＢの移動を許容する範囲でできるだけ小さくするのが好ましい。
【００８７】
(6).回動式タイプの別例
図１３では可動式仕切り体２を回動式にした準個室化設備１の別例である第８実施形態を示している。この実施形態では第１収納ユニット７の手前に机天板６６を配置し、その下方は完全なオープン方式にしている。また、可動式仕切り体２は仕切り壁６０と同じ高さになっている。机天板６６の前端部は脚６６ａで支持されて奥端部は第１収納ユニット８に固定している。奥端部を専用の脚で支持しても良い。また、一点鎖線で示すように、左右第２収納ユニット８の前面に１枚板状（又は別々）のエンドパネル６２を固定することも可能である。
【００８８】
図１４（Ａ）に示す第９実施形態では、可動式仕切り体２を回動自在に取り付けるための取付け手段の別例と、可動式仕切り体２を突出状態に保持する姿勢保持手段の別例とを示している。
【００８９】
すなわちこの第９実施形態では、ヒンジ手段として、固定式仕切り装置１の前端部の上下両面にピン６７を突設する一方、可動式仕切り体２の基端部の上下両面には、前記ピン６７に嵌まる長穴６８が形成されたヒンジ板６９を固着しており、また、姿勢保持手段として、固定式仕切り装置１の前面に係合溝７０を形成し、可動式仕切り体２の基端部には係合溝７０と嵌合する係合突起７１を形成している。
【００９０】
従って、この実施形態では、可動式仕切り体２を手前に引き出すことによって自在に回動させることができ、また、前向き姿勢で後退させると係合突起７２と係合溝７１とが嵌まりあって突出状態が保持される。姿勢保持手段としては、ピンとこれが嵌まる穴との組み合わせなど、様々の構造を採用できる。
【００９１】
図１４（Ｂ）に示す第１０実施形態では、可動式仕切り体２の先端部の側面にカーテン４の端部の止め手段７２を設けている。カーテンの止め手段７２としては磁石を利用したりフックを設けた引っ掛け式にするなど、様々の方法を採用できる。
【００９２】
図１５（Ａ）に示す第１１実施形態では、可動式仕切り体２は姿勢を変えながら回動して、退避状態でエンドパネル６２の前面に重なるようになっている。詳細は省略するが、可動式仕切り体２の一端部にローラ等のスライダーが水平回動自在に取付けられている一方、ンドパネル６２の前面にはスライダーが水平動自在に嵌まるレールを設けている。また、可動式仕切り体２の回動をガイドするためのリンクも設けている。
【００９３】
図１５（Ｂ）に示す第１２実施形態では、可動式仕切り体２を２枚のパーツからなる折り畳み式にしており、また、図１５（Ｃ）に示す第１３実施形態では可動式仕切り体２を外部材２ａとこれに嵌まった内部材２ｂとで伸縮式に構成している。これら図１５の各実施形態のように構成すると、退避状態で可動式仕切り体２が固定式仕切り装置１の左右外側にはみ出ることを防止しつつ、可動式仕切り体２の突出寸法を大きくすることができる。
【００９４】
図１６に示す第１４実施形態では、固定式仕切り装置１の前端部に設けた支柱（フレーム）７３でカーテンレール５の一部を支持している。このような構造は第１実施形態にも適用可能である。
【００９５】
(7).その他
本願発明は上記の実施形態の他にも様々に具体化することができる。例えば可動式仕切り体を前後スライド式とする場合、前後動をガイドする天レール等のガイド手段は固定式仕切り装置に設ける必然性はなく、例えば室の天井面に固定したり、天井から吊り下げられた吊り枠に固定したりすることも可能である。また、可動式仕切り体は相対動しつつ全体として前後動し得る複数の部材で複動式に構成することも可能である。
【００９６】
固定式仕切り装置１はその全体をベッドの方向に向けて開口した棚方式とすること、或いは、全体を扉付きとすることも可能である。更に、本願発明の準個室化設備は、病室を仕切ることのみでなく、例えば一般住宅で子供のプライベートスペースを形成することに使用するなど、様々の用途に使用できる。
【図面の簡単な説明】
【００９７】
【図１】第１実施形態の組立後の斜視図である。
【図２】第１実施形態の分離斜視図である。
【図３】平面図である。
【図４】(A) は準個室化設備の側面図、 (B)は (A)の B-B視断面図、 (C)は (A)の C-C視図である。
【図５】(A)は図４の VA-VA視断面図、 (B)は図４の VB-VB視断面図、 (C)は図４のVC-VC視断面図である。
【図６】第２実施形態を示す図である。
【図７】第３実施形態を示す図である。
【図８】第４実施形態を示す図である。
【図９】第５実施形態を示す図である。
【図１０】第６実施形態を示す図である。
【図１１】第７実施形態の斜視図である。
【図１２】第７実施形態の平面図である。
【図１３】第８実施形態の斜視図である。
【図１４】第９〜第１０実施形態を示す図である。
【図１５】第１１〜第１３実施形態を示す図である。
【図１６】第１４実施形態を示す図である。
【符号の説明】
【００９８】
Ｓ  個室状空間
Ｂ  ベッド
Ａ  準個室化設備
１  固定式仕切り装置
２  可動式仕切り体
３  左右の個室状空間を仕切る境界線（準個室化設備の平面視中心線）
４  カーテン
７  第１収納ユニット
８  第２収納ユニット
９  ガイド手段の一例としての天レール
３１  第２収納ユニットの天板
６１  ヒンジ
６６  机天板
【図１】
2006181337.tif 000003
【図２】
2006181337.tif 000004
【図３】
2006181337.tif 000005
【図４】
2006181337.tif 000006
【図５】
2006181337.tif 000007
【図６】
2006181337.tif 000008
【図７】
2006181337.tif 000009
【図８】
2006181337.tif 000010
【図９】
2006181337.tif 000011
【図１０】
2006181337.tif 000012
【図１１】
2006181337.tif 000013
【図１２】
2006181337.tif 000014
【図１３】
2006181337.tif 000015
【図１４】
2006181337.tif 000016
【図１５】
2006181337.tif 000017
【図１６】
2006181337.tif 000018